(57)【要約】【課題】ＬＣコネクタとの結合を簡単に解除することができるＬＣアダプタを提供する。【解決手段】ＬＣアダプタ２３は、受け入れ口３２からＬＣコネクタ２１のプラグ２５を受け入れる。案内壁３１には、プラグ２５のロックレバー３６の移動経路を形成する開口３８が区画される。受け入れ口３２からプラグ２５の上面に平行にロックレバー３６から突き出る突起４７の移動空間の前端まで平坦面４８が形成される。平坦面４８は、案内壁３１に平行に広がりつつ案内壁３１に向き合う。平坦面４８および案内壁３１の間で突起４７の移動空間に干渉物は配置されない。ＬＣコネクタ２１の差し込み時や引き抜き時、突起４７は平坦面４８に平行に移動することができる。作業者は、ＬＣコネクタ２１に触れずにＬＣコネクタ２１との結合を容易に解除することができる。【選択図】図４
2010211024.tif 000002
【特許請求の範囲】
【請求項１】
ＬＣコネクタのプラグの底面を受け止める底板と、
前記底板から垂直に立ち上がり、前記プラグの両側面を案内する１対の側壁と、
前記側壁の内面から前記底板に平行に突き出て前記プラグの上面を案内し、前記プラグの上面から前記プラグの後端に向かって延びる弾性のロックレバーの移動経路を形成する開口を区画する案内壁と、
前記底板、前記側壁および前記案内壁で形成される受け入れ口から、少なくとも、前記プラグの上面に平行に前記ロックレバーから突き出る突起の移動空間の前端まで、前記案内壁に平行に広がりつつ前記案内壁に向き合う平坦面とを備えることを特徴とするＬＣアダプタ。
【請求項２】
請求項１に記載のＬＣアダプタにおいて、
前記案内壁に平行に広がる天井板と、
前記天井板に形成されて前記天井板から盛り上がり、前記プラグの上面で前記ロックレバーよりも後方から前記ロックレバーの先端に向かって延びる弾性のロック解除レバーの先端の移動経路に配置される突起とを備えることを特徴とするＬＣアダプタ。
【発明の詳細な説明】
【技術分野】
【０００１】
本発明は、ＬＣコネクタに結合されるＬＣアダプタに関する。
【背景技術】
【０００２】
例えば無線基地局装置（ＢＴＳ: Base Transceiver Station）と光張り出し装置との間では例えば光ファイバを用いた光回線が確立される。光回線の確立にあたって、無線基地局装置では光ファイバの接続にあたって例えばＬＣコネクタが用いられる。ＬＣコネクタは光ファイバの先端に取り付けられる。ＬＣコネクタは無線基地局装置のＬＣアダプタに結合される。
【０００３】
結合にあたって、ＬＣコネクタのプラグ本体はＬＣアダプタのハウジングに差し込まれる。プラグ本体がＬＣアダプタに完全に差し込まれると、プラグ本体の上面からプラグ本体の後端に向かって延びるロックレバーに形成される突起が、ハウジングの天板に形成される突部に引っ掛かる。ＬＣコネクタの抜けは規制される。
【０００４】
結合の解除にあたって、ロックレバーより後方でプラグ本体の上面に沿って延びる解除レバーが利用される。作業者がプラグ本体に向かって解除レバーを押し付けると、ロックレバーとの接触に基づきロックレバーは揺動する。突起と突部との引っ掛かりは解除される。この状態で作業者はＬＣアダプタからＬＣコネクタを引き抜くことができる。
【先行技術文献】
【特許文献】
【０００５】
【特許文献１】特開平１１−２７１５７１号公報
【発明の概要】
【発明が解決しようとする課題】
【０００６】
無線基地局装置ではバックパネル上に複数のＬＣアダプタが配置される。バックパネルには例えばプリント基板が直立姿勢で実装される。プリント基板がバックパネルに実装されると同時に、プリント基板上のＬＣコネクタはバックパネル上のＬＣアダプタに結合される。その一方で、プリント基板の取り外しに先立って、ＬＣコネクタとＬＣアダプタとの結合が解除されなければならない。
【０００７】
しかしながら、前述のように、ＬＣコネクタとＬＣアダプタとの結合時、突起の働きでＬＣアダプタからＬＣコネクタの抜けは規制される。したがって、作業者は各ＬＣコネクタのロックレバーを押し下げつつ突起と突部との引っ掛かりを解除しながらバックパネルからプリント基板を取り外さなければならない。プリント基板の取り外し作業は煩雑を極める。
【０００８】
本発明は、上記実状に鑑みてなされたもので、ＬＣコネクタとの結合を簡単に解除することができるＬＣアダプタを提供することを目的とする。
【課題を解決するための手段】
【０００９】
上記目的を達成するために、ＬＣアダプタの一具体例は、ＬＣコネクタのプラグの底面を受け止める底板と、前記底板から垂直に立ち上がり、前記プラグの両側面を案内する１対の側壁と、前記側壁の内面から前記底板に平行に突き出て前記プラグの上面を案内し、前記プラグの上面から前記プラグの後端に向かって延びる弾性のロックレバーの移動経路を形成する開口を区画する案内壁と、前記底板、前記側壁および前記案内壁で形成される受け入れ口から、少なくとも、前記プラグの上面に平行に前記ロックレバーから突き出る突起の移動空間の前端まで、前記案内壁に平行に広がりつつ前記案内壁に向き合う平坦面とを備える。
【００１０】
こうしたＬＣアダプタでは、受け入れ口からプラグの上面に平行にロックレバーから突き出る突起の移動空間の前端まで平坦面が形成される。平坦面は、案内壁に平行に広がりつつ案内壁に向き合う。平坦面および案内壁の間でロックレバーの突起の移動空間に干渉物は配置されない。ＬＣコネクタの差し込み時や引き抜き時、突起は平坦面に平行に移動することができる。作業者は、ＬＣコネクタに触れずにＬＣコネクタとの結合を容易に解除することができる。こうした構成によれば、例えばプリント基板に多数のＬＣコネクタが実装される場合に特に効果が発揮される。
【発明の効果】
【００１１】
以上のように開示のＬＣアダプタによれば、ＬＣコネクタとの結合を簡単に解除することができる。
【図面の簡単な説明】
【００１２】
【図１】一具体例に係る無線基地局装置の外観を概略的に示す斜視図である。
【図２】バックパネルおよびプリント基板ユニットの構造を概略的に示す斜視図である。
【図３】本発明の第１実施形態に係るＬＣアダプタの構造を概略的に示す斜視図である。
【図４】本発明の第１実施形態に係るＬＣアダプタの構造を概略的に示す断面図である。
【図５】図４の５−５線に沿った断面図である。
【図６】図４の６−６線に沿った断面図である。
【図７】図４の７−７線に沿った断面図である。
【図８】バックパネルにプリント基板ユニットが装着される様子を概略的に示す斜視図である。
【図９】ＬＣアダプタにＬＣコネクタが差し込まれる様子を概略的に示す斜視図である。
【図１０】ＬＣアダプタにＬＣコネクタが差し込まれる様子を概略的に示す断面図である。
【図１１】本発明の第２実施形態に係るＬＣアダプタの構造を概略的に示す斜視図である。
【図１２】本発明の第２実施形態に係るＬＣアダプタの構造を概略的に示す断面図である。
【図１３】ＬＣアダプタにＬＣコネクタが差し込まれる様子を概略的に示す断面図である。
【発明を実施するための形態】
【００１３】
以下、添付図面を参照しつつ本発明の一実施形態を説明する。
【００１４】
図１は無線基地局装置（ＢＴＳ: Base Transceiver Station）１１の外観を概略的に示す。無線基地局装置１１は筐体１２を備える。この無線基地局装置１１は、アンテナ（図示されず）を介して各携帯電話端末との間で電波をやり取りする。その一方で、無線基地局装置１１は、例えば無線制御部を介して携帯電話網といったコアネットワークに接続される。こうして無線基地局装置１１はコアネットワークに携帯電話端末を接続する。例えば無線基地局装置１１の設置場所が確保されない場合、無線基地局装置１１には例えば光張り出し装置（ＲＲＨ： Remote Radio Head）が接続される。無線基地局装置１１と光張り出し装置との間では光インターフェースが実現される。
【００１５】
図２に示されるように、筐体１２の収容空間にはバックパネル１３が配置される。バックパネル１３は例えば筐体１２の正面に平行な直立姿勢を確立する。バックパネル１３にはプリント基板ユニット１４が接続される。プリント基板ユニット１４は、例えば筐体１２の側面に平行な直立姿勢を確立するプリント基板１５を備える。プリント基板１５の下端は、例えば１対のレール１６ａ、１６ｂに基づき形成される溝１６ｃ内に配置される。プリント基板１５の上端は、同様に、例えば１対のレール（図示されず）に基づき形成される溝内に配置される。こうしてプリント基板１５は筐体１２に抜き差し自在に装着される。筐体１２にはプリント基板１５の後端を受け止める爪１７が形成される。爪１７の働きで筐体１２の正面からプリント基板１５の抜け落ちは防止される。
【００１６】
プリント基板１５の表面には例えば３つの光モジュール１８が実装される。光モジュール１８には光ファイバ１９の基端が個別に接続される。光ファイバ１９はプリント基板１５の表面に沿って延びる。光ファイバ１９同士は相互に並列に延びる。各光ファイバ１９の先端にはＬＣコネクタ２１が個別に取り付けられる。ＬＣコネクタ２１は、プリント基板１５の前端から前方に突き出る。光ファイバ１９およびＬＣコネクタ２１はそれぞれ留め具２２でプリント基板１５の表面に取り付けられる。ＬＣコネクタ２１は、バックパネル１３に固定されるＬＣアダプタ２３に差し込まれる。ＬＣアダプタ２３は、バックパネル１３に形成される開口２４内に配置される。
【００１７】
図３に示されるように、ＬＣコネクタ２１は例えば樹脂製のプラグ２５を備える。プラグ２５は例えば角柱形状に形成される。その一方で、ＬＣアダプタ２３は、バックパネル１３の開口２４に取り付けられるハウジング２６を備える。ハウジング２６は例えば樹脂材料から成形される。プラグ２５は、ハウジング２６の正面からハウジング２６内に受け入れられる。プラグ２５の後端には例えば樹脂製のブーツ２７の前端が結合される。光ファイバ１９はブーツ２７を貫通しつつプラグ２５内まで延びる。ブーツ２７の後端は、プリント基板１５の表面に光ファイバ１９を取り付ける留め具２２に受け止められる。この留め具２２の働きで光ファイバ１９の変位は防止される。
【００１８】
ハウジング２６は、プラグ２５の底面を受け止める底板２８を備える。底板２８から垂直に１対の側壁２９、２９が立ち上がる。側壁２９、２９はプラグ２５の両側面を案内する。側壁２９、２９同士は相互に平行に広がる。側壁２９、２９の内面から底板２８に平行に案内壁３１が突き出る。案内壁３１はプラグ２５の上面を案内する。ハウジング２６では、底板２８、側壁２９、２９および案内壁３１で受け入れ口３２が形成される。側壁２９、２９の上端同士は天井板３３で連結される。天井板３３は案内壁３１に平行に広がる。各側壁２９の内面には、プラグ２５の側面から突き出る突起３４、３４を受け入れる案内溝３５が形成される。案内溝３５は受け入れ口３２からハウジング２６内に向かって延びる。
【００１９】
図４を併せて参照し、プラグ２５の上面にはプラグ２５の後端に向かって延びる弾性のロックレバー３６が形成される。ロックレバー３６の後方でプラグ２５の上面にはプラグ２５の前端に向かって延びる弾性のロック解除レバー３７が形成される。ロックレバー３６およびロック解除レバー３７は基端でプラグ２５に一体化される。ロックレバー３６およびロック解除レバー３７は、基端に規定される揺動軸回りで揺動することができる。揺動軸は、プラグ２５の上面に平行に延びつつプラグ２５の幅方向に規定される。ロックレバー３６の先端にはロック解除レバー３７の先端が受け止められる。案内壁３１には、ロックレバー３６の移動経路を形成する開口３８が形成される。開口３８は受け入れ口３２からハウジング２６内に延びる。
【００２０】
図４から明らかなように、プラグ２５内にはフェルール４１が配置される。フェルール４１の後端は光ファイバ１９の先端に突き当てられる。こうして光ファイバ１９およびフェルール４１は接続される。フェルール４１の前端は、ハウジング２６に形成される例えば円筒形のスリーブ４２内に受け入れられる。スリーブ４２はプラグ２５の前端からプラグ２５内に受け入れられる。スリーブ４２はハウジング２６に一体化される。フェルール４１の前端は、スリーブ４２内に不動に固定される接続フェルール４３の一端に突き当てられる。フェルール４１の後端にはプラグ２５内に配置されるコイルばね（図示されず）が押し付けられる。コイルばねの弾性力に基づきフェルール４１の前端は接続フェルール４３の一端に弾性的に押し付けられる。
【００２１】
スリーブ４２内には、バックパネル１３の裏側でＬＣアダプタ２３の背面からハウジング２６内に受け入れられるＬＣコネクタ４４のフェルール４５の前端が受け入れられる。フェルール４５の前端は接続フェルール４３の他端に突き当てられる。ＬＣコネクタ２１と同様に、フェルール４５の後端にはＬＣコネクタ４４のプラグ４６内に配置されるコイルばね（図示されず）が押し付けられる。コイルばねの弾性力に基づきフェルール４５の前端は接続フェルール４３の他端に弾性的に押し付けられる。こうしてフェルール４１、４５は接続フェルール４３で相互に接続される。その結果、ＬＣコネクタ２１、４４はＬＣアダプタ２３で相互に接続される。
【００２２】
図５を併せて参照し、例えば基端および先端の中間位置でロックレバー３６の両側端には１対の突起４７、４７が形成される。突起４７は、ロックレバー３６の側端からプラグ２５の上面に平行に突き出る。突起４７、４７は側壁２９、２９に向かって相互に反対向きに突き出る。突起４７は案内壁３１および天井板３３の間に配置される。天井板３３には、案内壁３１に平行に広がりつつ案内壁３１に向き合う１対の平坦面４８、４７が形成される。平坦面４８は受け入れ口３２から少なくとも突起４７、４７の移動空間の前端まで延びる。平坦面４８、４７は同一の仮想平面内で相互に並列に延びる。
【００２３】
図６を併せて参照し、側壁２９の案内溝３５は、受け入れ口３２に規定される外端からハウジング２６内に向かって所定の奥行きで内端を規定する。プラグ２５の側面の突起３４はハウジング２６の側壁２９の案内溝３５の内端に受け止められる。このとき、前述のように、フェルール４１の前端は接続フェルール４３の一端に押し付けられる。したがって、こういった突起３４および案内溝３５の働きでハウジング２６内でＬＣコネクタ２１の位置は決定される。その結果、フェルール４１の前端および接続フェルール４３の一端の接触が確実に実現される。
【００２４】
図７に示されるように、プリント基板１５にＬＣコネクタ２１を取り付ける留め具２２は、プリント基板１５の表面との間にＬＣコネクタ２１のブーツ２７を挟み込む枠部２２ａを備える。枠部２２ａには、プリント基板１５の表面に沿って広がる１対の連結部２２ｂが一体化される。留め具２２は連結部２２ｂでプリント基板１５の表面に固定される。ここでは、ブーツ２７と枠部２２ａとの間には例えば鉛直方向でブーツ２７の両側に所定の隙間すなわち遊びが確保される。遊びは、プリント基板１５の表面に沿って鉛直方向にＬＣコネクタ２１の変位を許容する。こうした変位によれば、後述のように、ＬＣコネクタ２１はＬＣアダプタ２３に比較的に簡単に差し込まれる。留め具２２は例えば金属材料や樹脂材料から形成される。
【００２５】
次に、プリント基板ユニット１４がバックパネル１３に装着される場面を想定する。図８に示されるように、爪１７はプリント基板１５の移動経路から外れる。プリント基板１５は溝１６ｃに沿って筐体１２内に差し込まれる。プリント基板１５の差し込みに応じて、プリント基板１５の前端の各ＬＣコネクタ２１はＬＣアダプタ２３に個別に差し込まれる。ＬＣコネクタ２１は、留め具２２の枠部２２ａとの間に形成される遊びに基づきプリント基板１５の表面に沿って鉛直方向に変位することができる。その結果、たとえＬＣコネクタ２１のプラグ２５の位置とＬＣアダプタ２３の受け入れ口３２の位置との間に多少のずれが生じても、プラグ２５は受け入れ口３２に比較的に簡単に差し込まれる。
【００２６】
図９に示されるように、プラグ２５の前端が受け入れ口３２からハウジング２６に進入すると、ロックレバー３６の基端は案内壁３１の開口３８内に進入する。図１０に示されるように、ロックレバー３６は案内壁３１および天井板３３の間に配置される。プラグ２５の差し込みに応じてロックレバー３６の突起４７は平坦面４８に平行に移動していく。プラグ２５の突起３４の前端が側壁２９の案内溝３５の内端に突き当たると、フェルール４１の先端はスリーブ４２内に差し込まれる。プラグ２５内のコイルばねの働きでフェルール４１の先端は接続フェルール４３の一端に突き当てられる。こうしてＬＣコネクタ２１はＬＣアダプタ２３に接続される。
【００２７】
続いて、例えば保守点検時にプリント基板ユニット１４がバックパネル１３から取り外される場面を想定する。プリント基板１５が筐体１２から正面に引き出されると、プラグ２５はハウジング２６から引き抜かれていく。プラグ２５の引き抜きに応じてロックレバー３６の突起４７は平坦面４８に平行に移動していく。同時に、フェルール４１はスリーブ４２内から引き抜かれる。こうしてプラグ２５がハウジング２６から完全に引き抜かれると、ＬＣコネクタ２１はＬＣアダプタ２３から取り外される。その後、プリント基板１５が筐体１２から引き出される。こうしてプリント基板ユニット１４は取り外される。プリント基板ユニット１４の保守点検が実施される。
【００２８】
以上のようなＬＣアダプタ２３では、天井板３３の内面に案内壁３１に向き合う平坦面４８、４７が形成される。案内壁３１および天井板３３の間で突起４７、４７の移動空間には干渉物は配置されない。その結果、ＬＣコネクタ２１の差し込み時や引き抜き時、ロックレバー３６の突起４７、４７は案内壁３１や天井板３３に平行に移動することができる。作業者は、ＬＣコネクタ２１に触れずにＬＣコネクタ２１との結合を容易に解除することができる。プリント基板ユニット１４がいわゆるロックレバー式のＬＣコネクタ２１を多数備える場合でも、プリント基板ユニット１４はバックパネル１３から簡単に取り外される。作業者はプリント基板ユニット１４の着脱作業を極めて簡単に実施することができる。
【００２９】
その一方で、従来のＬＣアダプタでは、天井板３３の内面に案内壁３１に向かって突き出る１対の突部が形成される。ＬＣコネクタ２１の差し込み時、突部との接触に応じてロックレバー３６はプラグ２５の上面に向かって揺動する。ＬＣコネクタ２１が完全にＬＣアダプタに差し込まれると、ロックレバー３６は弾性復元力に基づきプラグ２５の上面から遠ざかる。突起４７は突部に引っ掛かる。ＬＣコネクタ２１の抜けは規制される。その一方で、ＬＣコネクタ２１の引き抜き時、作業者はロック解除レバー３７の押し下げに基づきプラグ２５の上面に向かってロックレバー３６を揺動させる。突起４７と突部との引っ掛かりは解除される。このとき、ＬＣコネクタ２１の引き抜きが許容される。したがって、プリント基板ユニット１４が多数のＬＣコネクタ２１を備える場合、プリント基板ユニット１４の取り外しには非常に手間がかかってしまう。
【００３０】
図１１は本発明の第２実施形態に係るＬＣアダプタ２３ａの構造を概略的に示す。このＬＣアダプタ２３ａでは、ハウジング２６はＬＣコネクタ２１のロック解除レバー３７を受け入れる。案内壁３１の開口３８はロック解除レバー３７の移動経路を兼ねる。図１２を併せて参照し、天井板３３の内面には例えば半円柱形状の突起５１が形成される。半円柱の中心軸は、天井板３３の内面に平行に延びつつ側壁２９、２９に直交する。突起５１の表面にはスライド面５２が形成される。スライド面５２は案内壁３１の開口３８に向き合う。突起５１はロック解除レバー３７の先端の移動経路上に配置される。ロック解除レバー３７の先端は受け入れ口３２から遠い奥側でスライド面５２に受け止められる。その結果、ＬＣコネクタ２１はＬＣアダプタ２３ａのハウジング２６内に保持される。その他、前述のＬＣアダプタ２３と均等な構成や構造には同一の参照符号が付される。
【００３１】
いま、ＬＣコネクタ２１がＬＣアダプタ２３ａに結合される場面を想定する。プリント基板１５が筐体１２内に差し込まれると、プラグ２５の前端は受け入れ口３２からハウジング２６に進入する。ロックレバー３６の突起４７は平坦面４８に平行に移動していく。同様に、ロック解除レバー３７は受け入れ口３２からハウジング２６内に進入する。突起５１はロック解除レバー３７の先端の移動経路上に配置されることから、図１３に示されるように、ロック解除レバー３７の先端は受け入れ口３２に近い手前側でスライド面５２に接触する。ロック解除レバー３７の先端およびロックレバー３６の先端は揺動に基づきプラグ２５の上面に近づく。ロックレバー３６およびロック解除レバー３７では弾性復元力が生成される。
【００３２】
その後、プラグ２５の進入に応じてロック解除レバー３７の先端は突起５１のスライド面５２をスライドしていく。プラグ２５の突起３４の前端が側壁２９の案内溝３５の内端に突き当たると、フェルール４１の先端はスリーブ４２内に差し込まれる。フェルール４１の先端は接続フェルール４３の一端に突き当てられる。こうしてＬＣコネクタ２１はＬＣアダプタ２３ａに接続される。このとき、ロックレバー３６の先端およびロック解除レバー３７の先端はプラグ２５の上面から遠ざかる。ロック解除レバー３７の先端は受け入れ口３２から遠い奥側でスライド面５２に受け止められる。ロック解除レバー３７と突起５１との引っ掛かりに基づきＬＣコネクタ２１はハウジング２６内に保持される。
【００３３】
続いて、ＬＣコネクタ２１がＬＣアダプタ２３ａから取り外される場面を想定する。プリント基板１５が筐体１２から正面に引き出されると、プラグ２５はハウジング２６から引き抜かれていく。ロック解除レバー３７の先端は突起５１のスライド面５２をスライドしていく。このとき、ロック解除レバー３７の先端は揺動に基づきプラグ２５の上面に近づく。同時に、ロックレバー３６の先端は揺動に基づきプラグ２５の上面に近づく。その結果、ロックレバー３６は確実に突起５１を避けて移動していく。ロックレバー３６の突起４７は平坦面４８に沿って移動していく。こうしてプラグ２５がハウジング２６から引き抜かれると、ＬＣコネクタ２１はＬＣアダプタ２３ａから取り外される。
【００３４】
以上のようなＬＣアダプタ２３ａでは、ロック解除レバー３７の先端は天井板３３の突起５１に受け止められる。こうしたロック解除レバー３７の引っ掛かりに基づきＬＣコネクタ２１はＬＣアダプタ２３ａに保持される。ＬＣコネクタ２１のフェルール４１の前端と接続フェルール４３の一端との接触は維持される。しかも、前述と同様に、案内壁３１および天井板３３の間でロックレバー３６の突起４７、４７の移動空間には干渉物は配置されない。作業者は、ＬＣコネクタ２１に触れずにＬＣコネクタ２１との結合を簡単に解除することができる。プリント基板ユニット１４がいわゆるロックレバー式のＬＣコネクタ２１を多数備える場合でも、プリント基板ユニット１４はバックパネル１３から簡単に取り外される。
【符号の説明】
【００３５】
２１  ＬＣコネクタ、２３  ＬＣアダプタ、２５  プラグ、２８  底板、２９  側壁、３１  案内壁、３２  受け入れ口、３３  天井板、３６  ロックレバー、３７  ロック解除レバー、３８  開口、４７  突起、４８  平坦面、５１  突起。
【図１】
2010211024.tif 000003
【図２】
2010211024.tif 000004
【図３】
2010211024.tif 000005
【図４】
2010211024.tif 000006
【図５】
2010211024.tif 000007
【図６】
2010211024.tif 000008
【図７】
2010211024.tif 000009
【図８】
2010211024.tif 000010
【図９】
2010211024.tif 000011
【図１０】
2010211024.tif 000012
【図１１】
2010211024.tif 000013
【図１２】
2010211024.tif 000014
【図１３】
2010211024.tif 000015